(57)【特許請求の範囲】
【請求項１】
平行な１対の基板間に誘電体に覆われた複数の対向電極を設け表面に蛍光体を形成した隔壁によって放電セルを構成し放電ガスを封入し気体放電によって画像を表示するプラズマディスプレイパネルと、セットアップ部、アドレス部、放電維持部及び放電停止部を有する駆動部からなるプラズマディスプレイ表示装置であって、前記駆動部は、第１の電極群にパルス電圧を印加してセットアップする初期化期間と、第１電極群にパルス電圧を順次印加しながら、第３電極群の中の選択された電極にパルス電圧を印加して、選択された箇所の誘電体層に壁電荷を蓄積するアドレス期間と、第１電極群と第２電極との間にパルス電圧を印加して放電の維持を行う維持期間と、維持放電を停止させる放電停止期間からなり、前記駆動部は、前記放電停止期間に印加する消去パルスの立ち上がり速度を、表示画像の平均輝度Ｂaveの増加と共に減少させる駆動方法を有することを特徴とするプラズマディスプレイ表示装置。
【請求項２】
前記駆動部は、前記維持期間の維持パルス幅ＰＷが、２．５μｓ≦ＰＷ≦２０μｓにおいて前記放電停止期間に印加する消去パルスの立ち上がり速度νeが２０Ｖ／μｓ≦νe≦４００Ｖ／μｓである駆動方法を有することを特徴とする請求項１に記載のプラズマディスプレイ表示装置。
【請求項３】
前記駆動部は、前記維持期間の維持パルス幅ＰＷが、０．７μｓ≦ＰＷ≦２．５μｓにおいて前記放電停止期間に印加する消去パルスの立ち上がり速度νeが４００Ｖ／μｓ≦νe≦８００Ｖ／μｓである駆動方法を有することを特徴とする請求項１または２に記載のプラズマディスプレイ表示装置。
【請求項４】
平行な１対の基板間に誘電体に覆われた複数の対向電極を設け表面に蛍光体を形成した隔壁によって放電セルを構成し放電ガスを封入し気体放電によって画像を表示するプラズマディスプレイパネルと、サブフィールド毎にアドレス期間、放電維持期間、消去期間を有するフィールド内時分割階調表示方式によって駆動させる駆動部とからなるプラズマディスプレイ表示装置であって、前記駆動部は、第１の電極群にパルス電圧を印加してセットアップする初期化期間と、第１電極群にパルス電圧を順次印加しながら、第３電極群の中の選択された電極にパルス電圧を印加して、選択された箇所の誘電体層に壁電荷を蓄積するアドレス期間と、第１電極群と第２電極との間にパルス電圧を印加して放電の維持を行う維持期間と、維持放電を停止させる放電停止期間からなり、前記駆動部は、各々のサブフィールドの維持期間中に印加される維持パルスのパルス数が多いサブフィールドの放電停止期間に印加する消去パルスの立ち上がり速度を、維持パルスのパルス数が少ないサブフィールドの消去パルスの立ち上がり速度より減少させる駆動方法を有することを特徴とする請求項１から３の何れかに記載のプラズマディスプレイ表示装置。
【請求項５】
平行な１対の基板間に誘電体に覆われた複数の対向電極を設け表面に蛍光体を形成した隔壁によって放電セルを構成し放電ガスを封入し気体放電によって画像を表示するプラズマディスプレイパネルにおいて、１つの放電セル内に、放電発光の維持を担う維持電極が、複数に分割された電極を有し、サブフィールド毎にアドレス期間、放電維持期間、消去期間を有するフィールド内時分割階調表示方式によって駆動させる駆動部とからなるプラズマディスプレイ表示装置であって、前記駆動部は、第１の電極群にパルス電圧を印加してセットアップする初期化期間と、第１電極群にパルス電圧を順次印加しながら、第３電極群の中の選択された電極にパルス電圧を印加して、選択された箇所の誘電体層に壁電荷を蓄積するアドレス期間と、第１電極群と第２電極との間にパルス電圧を印加して放電の維持を行う維持期間と、維持放電を停止させる放電停止期間からなり、前記駆動部は、各々のサブフィールドの維持期間中に印加される維持パルスのパルス数が多いサブフィールドの放電停止期間に印加する消去パルスの立ち上がり速度を、維持パルスのパルス数が少ないサブフィールドの消去パルスの立ち上がり速度より減少させる駆動方法を有することを特徴とする請求項１から４の何れかに記載のプラズマディスプレイ表示装置。
【請求項６】
前記表示画像の１フィールドの平均輝度Ｂaveが、ピーク輝度Ｂｐに対して０．１５Ｂｐ≦Ｂave≦Ｂｐのとき消去パルスの立ち上がり速度νeが２０Ｖ／μｓ≦νe≦４００Ｖ／μｓである駆動方法を有することを特徴とする請求項１から５の何れかに記載のプラズマディスプレイ表示装置。
【請求項７】
前記サブフィールドの維持パルス数Ｎsfが、最大値Ｎsfmaxに対して０．５Ｎsfmax≦Ｎsf≦Ｎsfmaxのとき消去パルスの立ち上がり速度νeが２０Ｖ／μｓ≦νe≦４００Ｖ／μｓである駆動方法を有することを特徴とする請求項１から６の何れかに記載のプラズマディスプレイ表示装置。
【発明の詳細な説明】
【０００１】
【発明の属する技術分野】
本発明はコンピュータおよびテレビ等の画像表示に用いるプラズマディスプレイパネル及びそれを用いた画像表示装置に関するものである。
【０００２】
【従来の技術】
従来のＰＤＰは、図１に示すような構成のものが一般的である。
【０００３】
図１において、前面基板１１上には、帯状の電極群１９ａと、帯状の電極群１９ｂが形成され、電極群１９ａ、１９ｂは鉛ガラスなどからなる誘電体ガラス層１７で覆われており、誘電体ガラス層１７の表面はＭｇＯ蒸着膜などからなる保護層１８で覆われている。背面基板１２上には帯状のデータ電極群１４と表面を覆う鉛ガラスなどからなる絶縁体層１３が設けられ、その上に隔壁１５が配設されている。前面基板１１と背面基板１２とは、それぞれの電極群が互いに直交するように組み合わされている。隔壁１５は、背面基板１２と接着しており、前面基板１１とは接触している。隔壁１５によって通常は１００から２００ミクロン程度の間隔で前面基板１１と背面基板１２が互いに平行に対峙し封止されている。
【０００４】
前面基板１１上の電極群１９ａ、１９ｂと背面基板１２上のデータ電極群１４の間に選択的に電圧を印加することによって、選択された電極の交点でガス放電によって生じた電荷を誘電体ガラス層１７上に蓄積し、電圧を印加すべき電極を走査することにより１画面分の画素の情報を蓄積するアドレス動作の後に、前面基板１１上の電極群１９ａと電極群１９ｂ間に交流パルス電圧を印加する維持放電動作によって、アドレス動作において選択された放電セルが一斉に発光することによって画像を表示する。放電は前面基板１１、背面基板１２、ならびに隔壁１５で隔離された空間で起こるため、発光は拡散しない。つまり、隔壁１５は、前面基板１１と背面基板１２との間隔を規定する目的と、解像度の高い表示を行う目的を有している。
【０００５】
さらにカラー表示を行う場合は、隔壁で遮断されている放電空間の周辺部に蛍光体１６を塗布しておく。蛍光体は、放電によって生じた紫外線を可視光に変換することにより行われるので、三原色である赤（Ｒ）、緑（Ｇ）、青（Ｂ）の蛍光体を使用し、それぞれによる発光強度を適当に調整することにより、カラー表示が可能になる。
【０００６】
放電ガスとしては、単色表示の場合は、放電の際に可視域での発光が見られるネオンを中心とした混合ガスが、またカラー表示の場合は、放電の際の発光が紫外域にあるキセノンを中心とした混合ガスが選択される。ガス圧は、大気圧下でのＰＤＰの使用を想定し、基板内部が外圧に対して減圧になるように、通常は、２００Ｔｏｒｒから５００Ｔｏｒｒ（２６．６ｋＰａから６６．５ｋＰａ）程度の範囲に設定される。図２に従来のＰＤＰの電極マトリックス図を示す。
【０００７】
次に、従来のＰＤＰの駆動方法について図３、４を用いて説明する。
【０００８】
図３に、従来のＰＤＰを用いた画像表示装置のブロック概念図を、図４にパネルの各電極に印加される駆動波形の一例を示す。図４において、まず電極群１９ｂ１〜１９ｂＮに初期化パルスを印加し、パネルの放電セル内の壁電荷を初期化する。次に電極群１９ａの一番目の電極１９ａ１に走査パルスを、データ電極群１４の表示を行う放電セルに対応するライン１４１〜１４Ｍに書き込みパルスを同時に印加して書き込み放電を行い誘電体層表面に壁電荷を蓄積する。次に電極群１９ａの二番目のライン電極１９ａ２に走査パルスを、データ電極群１４の表示を行う放電セルに対応するライン１４１〜１４Ｍに書き込みパルスを同時に印加して書き込み放電を行い誘電体層表面に壁電荷を蓄積する。続いて同様に継続する走査で表示を行うセルに対応する壁電荷を誘電体層表面に順次蓄積することによって１画面分の潜像を書き込む。
【０００９】
次に維持放電を行うために、データ電極群１４を接地し、電極群１９ａと電極群１９ｂに交互に維持パルスを印加することによって、誘電体層表面に壁電荷が蓄積されたセルでは誘電体表面の電位が放電開始電圧を上回ることによって放電が発生し、維持パルスが印加されている期間（維持期間）書き込みパルスによって選択された表示セルの主放電が維持される。その後、幅の狭い消去パルスを印加することによって不完全な放電が発生し壁電荷が消滅するため消去が行われる。
【００１０】
テレビ映像を表示する場合、ＮＴＳＣ方式において映像は、１秒間に６０枚のフィールドで構成されている。元来、プラズマディスプレイパネルでは、点灯か消灯の２階調しか表現できないため中間色を表示するために、赤（Ｒ）、緑（Ｇ）、青（Ｂ）の各色の点灯時間を時分割し、１フィールドを数個のサブフレームに分割し、その組み合わせによって中間色を表現する方法が用いられている。図５に従来の交流駆動型プラズマディスプレイパネルにおいて各色２５６階調を表現する場合のサブフィールドの分割方法を示す。各サブフィールドの放電維持期間内に印加する維持パルス数の比を１、２、４、８、１６、３２、６４、１２８のようにバイナリで重み付けを行い、この８ビットの組み合わせによって２６５階調を表現している。
【００１１】
また、更に高画質化する為にサブフィールドの数を増加させ、該階調を表示為のサブフィールドの重み付けの組み合わせを複数用いることによって、動画表示時の視線移動によって発生する擬似輪郭を低減する方法が用いられている。
【００１２】
この様に従来のＰＤＰの駆動方法では、初期化期間、書き込み期間、維持期間、消去期間という一連のシーケンスによって表示を行っている。
【００１３】
【発明が解決しようとする課題】
しかしながら上記の従来の構成では、放電開始電圧を下げるために主放電ギャップ或いは誘電体層の膜厚を減少させると、駆動マージンの上限である異常放電（誤放電）発生電圧も低下し、駆動マージンが狭くなってしまうという大きな課題を有していた。
【００１４】
本発明においては、これらの課題を解決し、放電セル内の壁電圧を調整する為の放電停止期間における消去放電を改善し、駆動マージンを広げ安定した動作を行い、誤放電の無い高画質で尚且つ高精細なプラズマディスプレイ装置を実現することを目的とする。
【００１５】
【課題を解決するための手段】
上記目的を達するために本発明は、平行な１対の基板間に誘電体に覆われた複数の対向電極を設け表面に蛍光体を形成した隔壁によって放電セルを構成し放電ガスを封入し気体放電によって画像を表示するプラズマディスプレイパネルと、セットアップ部、アドレス部、放電維持部及び放電停止部を有する駆動部からなるプラズマディスプレイ表示装置であって、前記駆動部は、第１の電極群にパルス電圧を印加してセットアップする初期化期間と、第１電極群にパルス電圧を順次印加しながら、第３電極群の中の選択された電極にパルス電圧を印加して、選択された箇所の誘電体層に壁電荷を蓄積するアドレス期間と、第１電極群と第２電極との間にパルス電圧を印加して放電の維持を行う維持期間と、維持放電を停止させる放電停止期間からなり、前記駆動部は、前記放電停止期間に印加する消去パルスの立ち上がり速度を、表示画像の平均輝度Ｂaveの増加と共に減少させる駆動方法を用いるものとする。
【００１７】
また、上記目的を達成するために本発明は、前記駆動部の前記維持期間の維持パルス幅ＰＷが、２．５μｓ≦ＰＷ≦２０μｓにおいて前記放電停止期間に印加する消去パルスの立ち上がり速度νeが２０Ｖ／μｓ≦νe≦４００Ｖ／μｓである駆動方法を用いるものとする。
【００１９】
また、上記目的を達成するために本発明は、前記駆動部の前記維持期間の維持パルス幅ＰＷが、０．７μｓ≦ＰＷ≦２．５μｓにおいて前記放電停止期間に印加する消去パルスの立ち上がり速度νeが４００Ｖ／μｓ≦νe≦８００Ｖ／μｓである駆動方法を用いるものとする。
【００２０】
また、上記目的を達成するために本発明は、平行な１対の基板間に誘電体に覆われた複数の対向電極を設け表面に蛍光体を形成した隔壁によって放電セルを構成し放電ガスを封入し気体放電によって画像を表示するプラズマディスプレイパネルと、サブフィールド毎にアドレス期間、放電維持期間、消去期間を有するフィールド内時分割階調表示方式によって駆動させる駆動部とからなるプラズマディスプレイ表示装置であって、前記駆動部は、第１の電極群にパルス電圧を印加してセットアップする初期化期間と、第１電極群にパルス電圧を順次印加しながら、第３電極群の中の選択された電極にパルス電圧を印加して、選択された箇所の誘電体層に壁電荷を蓄積するアドレス期間と、第１電極群と第２電極との間にパルス電圧を印加して放電の維持を行う維持期間と、維持放電を停止させる放電停止期間からなり、前記駆動部は、各々のサブフィールドの維持期間中に印加される維持パルスのパルス数が多いサブフィールドの放電停止期間に印加する消去パルスの立ち上がり速度を、維持パルスのパルス数が少ないサブフィールドの消去パルスの立ち上がり速度より減少させる駆動方法を用いるものとする。
【００２１】
また、上記目的を達成するために本発明は、平行な１対の基板間に誘電体に覆われた複数の対向電極を設け表面に蛍光体を形成した隔壁によって放電セルを構成し放電ガスを封入し気体放電によって画像を表示するプラズマディスプレイパネルにおいて、１つの放電セル内に、放電発光の維持を担う維持電極が、複数に分割された電極を有し、サブフィールド毎にアドレス期間、放電維持期間、消去期間を有するフィールド内時分割階調表示方式によって駆動させる駆動部とからなるプラズマディスプレイ表示装置であって、前記駆動部は、第１の電極群にパルス電圧を印加してセットアップする初期化期間と、第１電極群にパルス電圧を順次印加しながら、第３電極群の中の選択された電極にパルス電圧を印加して、選択された箇所の誘電体層に壁電荷を蓄積するアドレス期間と、第１電極群と第２電極との間にパルス電圧を印加して放電の維持を行う維持期間と、維持放電を停止させる放電停止期間からなり、前記駆動部は、各々のサブフィールドの維持期間中に印加される維持パルスのパルス数が多いサブフィールドの放電停止期間に印加する消去パルスの立ち上がり速度を、維持パルスのパルス数が少ないサブフィールドの消去パルスの立ち上がり速度より減少させる駆動方法を用いるものとする。
【００２２】
また、上記目的を達成するために本発明は、前記表示画像の１フィールドの平均輝度Ｂaveが、ピーク輝度Ｂｐに対して０．１５Ｂｐ≦Ｂave≦Ｂｐのとき消去パルスの立ち上がり速度νeが２０Ｖ／μｓ≦νe≦４００Ｖ／μｓである駆動方法を用いるものとする。
【００２３】
また、上記目的を達成するために本発明は、前記サブフィールドの維持パルス数Ｎsfが、最大値Ｎsfmaxに対して０．５Ｎsfmax≦Ｎsf≦Ｎsfmaxのとき消去パルスの立ち上がり速度νeが２０Ｖ／μｓ≦νe≦４００Ｖ／μｓである駆動方法を用いるものとする。
【００２４】
【発明の実施の形態】
以下、本発明の実施の形態について図６から図１０を用いて説明する。
【００２５】
（実施の形態１）
従来においては、第２の電極群に消去パルスとして維持パルスよりもパルス幅の短い細幅パルスを使用し、放電が完了し壁電荷が反転し十分に蓄積される前に放電セルに印加した電圧を取り去ることによって、放電セル内の壁電圧を低下させて放電を停止するとともに、ノイズや他セルからのプライミング粒子等による干渉に起因する誤放電を抑制していた。図６（ａ）に本実施の形態１のプラズマディスプレイ装置における駆動波形のタイミングチャートを、図６（ｂ）に消去パルスの拡大図を、図７に本実施の形態１のプラズマディスプレイ装置における駆動装置の構成の概略図を示す。
【００２６】
従来例との違いは放電停止期間の消去パルスの立ち上がり速度νeを映像信号の輝度情報に応じて変化させ、１画面の平均輝度が高い画像を表示する際にはνeを低下させた駆動方法を用いたことである。
【００２７】
表１に本実施の形態１のプラズマディスプレイ装置における駆動方法と従来の駆動方法を用いた際の消去パルスにおける自己消去放電および誤点灯の相関を示す。従来の駆動方法においては、駆動電圧条件を平均輝度が低い画像に合わせた場合、フィールド間或いはサブフィールド間に跨るプライミング効果の累積によって消去パルスの放電が強くなりすぎて、平均輝度が高い画像を表示する際に消去パルスの立ち下がりにおいて自己消去放電が発生し、その後のサブフィールドにおいて正常な書き込み動作が行われない為、点灯不良を引き起こしていた。
【００２８】
【表１】
0004682457.tif 000002
【００２９】
また、駆動電圧条件を平均輝度が高い画像に合わせた場合、平均輝度が低い画像を表示する際には、主に維持パルスの重みの小さいサブフィールドが点灯することによってプライミング効果が累積されず、消去パルスの放電が弱くなりすぎることによって消去動作が不安定となり消去不良による誤点灯の原因となっていた。
【００３０】
一方、本実施の形態１の駆動方法においては、従来の駆動方法において消去パルス電圧の立ち下がり時に発生していた異常放電、即ち自己消去放電も無く、Ｖabnが約２００Ｖまで上昇し、Ｖmも２０Ｖ程度あり安定な駆動を行うのに十分な駆動マージンを有していることが分かる。これは、消去パルスの立ち上がり速度νeを映像信号の輝度情報に応じて変化させ、１画面の平均輝度が高い画像を表示する際にはνeを低下させることによって、フィールド間或いはサブフィールド間に跨るプライミング効果の累積によって消去パルスの放電が強くなりすぎるのを抑制し、その後の消去パルス電圧の立ち下がり時における異常放電（自己消去）を抑制し安定な消去動作を実現できたためであると考えられる。
【００３１】
これらのことから、本実施の形態１における駆動方法によって、映像信号の平均輝度に関わらず常に一定状態の消去放電を行い駆動マージンの広い安定な動作を実現し、誤点灯の無い高画質で優れた駆動方法を実現可能であることが分かる。
【００３２】
尚、本実施の形態１においては、放電停止期間の消去パルスの立上り速度νeを、３６０Ｖ／μｓとしたが、これに限定されるものではなく、維持パルス幅ＰＷが、２．５μｓ≦ＰＷ≦２０μｓにおいては、立ち上がり速度を減少させ、２０Ｖ／μｓ≦νe≦４００Ｖ／μｓの範囲においても同様に顕著な効果が得られることは言うまでもない。
【００３３】
また、本実施の形態１においては、放電停止期間の消去パルスの立上り速度νeを表示画像の１フィールドの平均輝度Ｂaveの増加と共に減少させる駆動方法を用いているがこれに限定されるものではなく、νeを表示画像の１フィールドの平均輝度Ｂaveの減少と共に増加させる駆動方法を用いても同様に顕著な効果が得られることは言うまでもない。
【００３４】
また、本実施の形態１においては、放電停止期間の消去パルスの立上り速度νeを、＊＊Ｖ／μｓとしたが、これに限定されるものではなく、維持パルス幅ＰＷが、０．７μｓ≦ＰＷ≦２．５μｓにおいては、立ち上がり速度を増加させ、４００Ｖ／μｓ≦νe≦８００Ｖ／μｓの範囲においても同様に顕著な効果が得られることは言うまでもない。
【００３５】
また、本実施の形態１においては、放電停止期間の消去パルスの立上り速度νeを映像信号の平均輝度情報によって変化させる駆動方法を用いているが、これに限定されるものではなく、電力回収回路による回収期間を増加させる駆動方法を用いても同様に顕著な効果が得られることは言うまでもない。
【００３６】
また、本実施の形態１においては、放電停止期間における消去パルスをスキャンパルスを印加する第１の電極に印加し消去動作を行っているが、これに限定されるものではなく、第２の電極に消去パルスを印加し消去動作を行う駆動方法を用いても同様に顕著な効果が得られることは言うまでもない。
【００３７】
（実施の形態２）
図８に本実施の形態２のプラズマディスプレイ装置における駆動波形のタイミングチャートを示す。実施の形態１との違いは、放電セル内の壁電荷をリセットするための初期化期間を１フィールドに一回のみとし、第１サブフィールドの先頭にのみ初期化期間を設け、各サブフィールドをアドレス期間、放電維持期間、放電停止期間によって構成し、各サブフィールドの維持期間における維持パルス数の重み付けが大きいものほど放電停止期間における消去パルスの立上り速度を緩やかにし、維持パルス数の重み付けが小さいものほど消去パルスの立上り速度を急峻にする駆動方法を用いたことである。
【００３８】
従来の駆動方法においては、サブフィールド毎に初期化を行っていた為、初期化発光によるコントラスト比の低下が課題であった。これを解決する為に初期化回数を減らし、黒表示時の輝度を低下させることが試みられて来たが、サブフィールド間の初期化を省略したことによって、該サブフィールドのアドレスの際に前サブフィールドの点灯状態が影響し、誤放電が多く発生し画質が大きく低下するという問題点を有していた。この前サブフィールドの影響を抑制する為には、各サブフィールドの消去期間において確実に消去動作を行うことが必要であるが、放電開始電圧が低いパネルを駆動する際の維持パルスによる壁電圧の増加によって、特に維持パルス数の重み付けの大きいサブフィールドでは、消去パルスによる放電が通常の維持放電と同程度に強くなり、正常な消去動作が行われず誤放電が頻発し駆動マージンが狭くなるという課題を有していた。
【００３９】
図９に、本実施の形態２における駆動方法による種々の放電開始電圧Ｖfのパネルを駆動した際の自己消去放電電圧の変化を示す。主放電ギャップ或いは誘電体層膜厚を減少させＶfを低下させることによって、消去パルスの電圧立ち下がり時の自己消去放電電圧が低下している。消去パルスにおいて自己消去放電が発生すると放電停止期間後の放電セル内の壁電圧が過剰に低下してしまうため、その後のアドレス期間においてアドレス放電が起こりにくく、また次のフィールドの初期化期間においても初期化動作が正常な状態で行われないため、これに伴って誤書き込みやクロストーク等の異常放電が増加する。一方、本実施の形態２における駆動方法を用いることによって、これらの自己消去放電電圧の低下が抑制されるため上記のような誤放電やアドレス不良を低減することができる。
【００４０】
これは、維持パルス数の重み付けが大きいサブフィールドほど放電停止期間における消去パルスの立上り速度を緩やかにすることによって、消去放電が強くなりすぎるのを抑え、消去パルスによって蓄積される壁電圧が減少し消去パルスの電圧立ち下がり時において自己消去放電が抑制され、正常な消去動作が実現されたことによるものと考えられる。
【００４１】
これらのことから、本実施の形態２における駆動方法によって放電開始電圧の低いＰＤＰにおいても安定な消去動作を実現し、誤放電の無い高画質で高速な駆動方法を実現可能であることが分かる。
【００４２】
（実施の形態３）
本実施の形態３のプラズマディスプレイ装置における駆動波形は、実施の形態２と同様である。実施の形態２との違いは、第１の電極及び第２の電極として、放電セル内で複数のライン状に分割した電極構造を用いたことである。
【００４３】
図１０に本実施の形態３のプラズマディスプレイ装置における電極構成の概略図を示す。一般に、ＰＤＰにおいて表示電極を分割し電極面積を減少させることによってパネルの静電容量が減少し、維持パルス１発辺りの放電電流が減少するため放電の効率は向上する。しかし、電極が不連続であるため主放電ギャップで発生した放電プラズマが電極の外端まで広がるための時間が長くなり、アドレス期間におけるアドレス放電が発生してから放電が終了するまでの時間が延びて発光波形や放電電流ピーク波形の半値幅が広がっていた。
【００４４】
このため高精細化の際にアドレスパルスを短縮すると、放電遅れの時間の分布によって発生した比較的放電遅れが大きい状態では、アドレスパルスのパルス幅内で放電が完了せず、アドレス放電による壁電荷の蓄積が十分に行われないため書き込み不良が発生し画質を低下させていた。これを改善するために、フィールドの先頭に初期化期間においてパネルの全放電セルをリセットする為のセットアップパルスを印加しているが、コントラスト比を向上させるため各サブフィールド間には初期化期間を設けていないため、放電停止期間において、消去パルスの立ち下がり時に自己消去放電が発生すると放電セル内の壁電圧が低下し、次のサブフィールドのアドレス期間においてセルを選択するためのパルス電圧を印加した際の放電遅れが増加することによってアドレスパルス内での放電確率が低下するため、書き込み不良を引き起こしていた。
【００４５】
表２に従来の駆動方法と図６の駆動方法におけるνeとアドレス放電確率Fadd［％］及び画質の比較を示す。従来の駆動方法においては、Fadd［％］が８６％程度で、チラツキが激しく画質が非常に低下していたが、本実施の形態３の電極構造のＰＤＰを図６の駆動波によって駆動することによって、Ｖｄsetが約１４０Ｖ低下し、Fadd［％］が９９．９％まで改善されたことによってチラツキが全く無くなり画質が非常に向上している。
【００４６】
【表２】
0004682457.tif 000003
【００４７】
これは、本実施の形態３においては、消去パルスの立ち上がり速度νeを映像信号の輝度情報に応じて変化させ、１画面の平均輝度が高い画像を表示する際にはνeを低下させることによって、フィールド間或いはサブフィールド間に跨るプライミング効果の累積によって消去パルスの放電が強くなりすぎるのを抑制することによって、消去放電が弱められ壁電圧が減少し、消去パルスの電圧立ち下がり時の自己消去放電が抑制され壁電圧の異常な低下が抑制されたため、その後のサブフィールドにおいてアドレスパルスを印加した際の放電遅れが減少し、アドレスパルス内での放電確率が向上したたためと考えられる。また更に、フィールドの最後の消去パルスの自己消去放電も抑制されるため、それに続く次のフィールドの初期化期間においても、放電セル内の壁電圧の異常低下が抑制されるため、初期化放電が十分に広がり、初期化期間の終了時において最も外側の電極まで壁電荷量が蓄積するため、この様な離散的な電極構造にもかかわらずアドレス放電の放電確率が増加したと考えられる。
【００４８】
これらのことから、本実施の形態３における駆動方法によって放電セル内の電極が複数の分離した部位からなる離散的な構造であっても安定な消去動作を実現し、誤放電の無い高画質で高速な駆動方法を実現可能であることが分かる。
【００４９】
尚、本実施の形態３においては、第１の電極及び第２の電極として放電セル内で４本のライン状に分割した電極構造を用いているがこれに限定されるものではなく、第１の電極及び第２の電極として放電セル内で２〜６本のライン状に分割した電極構造を用いても同様に顕著な効果があることは言うまでもない。
【００５０】
【発明の効果】
以上のように本発明は、平行な１対の基板間に誘電体に覆われた複数の対向電極を設け放電ガスを封入し気体放電によって画像を表示するプラズマディスプレイパネルの駆動方法において、放電停止期間の消去パルスの立ち上がり速度を映像信号の輝度情報に応じて変化させ、１画面の平均輝度が高い画像を表示する際には立ち上がり速度を低下させた駆動方法を用いることによって、映像信号の平均輝度に関わらず常に一定状態の消去放電を行い放電セル内の壁電圧を放電停止期間での消去動作に必要十分な値にまで低下させて消去パルスの立ち下がり時の自己消去放電を抑制し、安定且つ確実な消去動作を行うことによって、その後の初期化期間或いはアドレス期間における放電を安定化させ、書き込み不良による画質低下を改善し、高精細化の為の高速駆動が可能で優れたＰＤＰを実現する。
【図面の簡単な説明】
【図１】従来のプラズマディスプレイパネルを示す図
【図２】従来のプラズマディスプレイパネルの電極マトリックス図
【図３】従来のプラズマディスプレイパネルを用いた画像表示装置の駆動回路のブロック図
【図４】従来のプラズマディスプレイパネルの駆動方法のタイミングチャート
【図５】従来のプラズマディスプレイパネルの駆動方法において各色２５６階調を表現する場合のサブフィールドの分割方法を示す図
【図６】本実施の形態１を適用したプラズマディスプレイ装置における駆動波形のタイミングチャート
【図７】本実施の形態１を適用したプラズマディスプレイ装置における駆動装置の構成の概略図
【図８】本実施の形態２を適用したプラズマディスプレイ装置における駆動波形のタイミングチャート
【図９】本実施の形態２を適用したプラズマディスプレイ装置の駆動方法における種々の放電開始電圧Ｖfのパネルを駆動した際の自己消去放電とνeの相関関係を示す図
【図１０】本実施の形態３を適用したプラズマディスプレイ装置における電極構成の概略図
【符号の説明】
１１  前面基板
１２  背面基板
１３  絶縁体層
１４  データ電極群
１５  隔壁
１６  蛍光体
１７  誘電体ガラス層
１８  保護層
１９ａ  電極群
１９ｂ  電極群
１９１，１９４  金属電極
１９２，１９３  透明電極
【図１】
0004682457.tif 000004
【図２】
0004682457.tif 000005
【図３】
0004682457.tif 000006
【図４】
0004682457.tif 000007
【図５】
0004682457.tif 000008
【図６】
0004682457.tif 000009
【図７】
0004682457.tif 000010
【図８】
0004682457.tif 000011
【図９】
0004682457.tif 000012
【図１０】
0004682457.tif 000013